(57)【要約】【課題】室内、室外のどちらから施錠したかを知る錠に内外独立信号錠があるが、機構が複雑な事と錠受け側で信号が受けられない欠点がある。建物の管理や警備面から必要性が増す錠であり、従来構造の欠点の改良が必要である。室内から施錠したか室外から施錠したかが分かり、錠受け側で信号を受ける事ができ、取り付け易く、正確な信号の取れる、安価で小型の錠が求められる。【解決手段】デットボルトを室外用デットボルトと室内用デットボルトに分け、両デットボルトに遊びを持って連動させる事で、どちらのデットボルトが出ているかを錠受け側で知る機構とした事で、配線し易く、取り付け易く、正確な信号が取れる錠を提供する。【選択図】　図１
2004044096.tif 000002
【特許請求の範囲】
【請求項１】
１個の錠に外部デットボルト（３）と内部デットボルト（４）の２個のデットボルトを設け、２個のデットボルトに遊びをもって連動させる為の遊び付き合わせダルマ（５）を設けて、遊び付き合わせダルマの外部側と内部側にシリンダーかサムターンを組み合わせて使用する錠で、外部からは外部デットボルトの出し入れと内部デットボルトの入れができ、内部デットボルトを出す事ができず、内部からは内部デットボルトの出し入れと外部デットボルトの入れができ、外部デットボルトを出す事ができない機能を持ち、どちらのデットボルトが出ているかを錠受け側で知る事で内外どちらから施錠したかを識別できる事を特徴とする錠。
【請求項２】
錠のシリンダーやサムターンの動きをデットボルトに伝えるダルマと呼ばれる部品で、外部デットボルトを動かす外部カム（９）を持つ外部ダルマ（８）と、内部デットボルトを動かす内部カム（１１）を持つ内部ダルマ（１０）の、２個のダルマを同芯軸上に回転角度に遊び角度（１３）を設けて１個に組み合わせる事で、外部ダルマと内部ダルマの動きに遊び角度を持って連動させ、内部デットボルトと外部デットボルトに遊びを持って連動させる、請求項１記載の錠に使用する為の遊び付き合わせダルマ。
【請求項３】
１個のダルマに外部デットボルト（３１）を動かす外部耳（３４）と、内部デットボルト（３２）を動かす内部耳（３５）を設け、外部デットボルトを外部耳に遊びを持たせて組み合わせ、内部デットボルトを内部耳に遊びを持たせて組み合わせる事で、遊び付き合わせダルマに代えて請求項１記載の錠に使用するウサギダルマ（３３）。
【請求項４】
請求項３記載のウサギダルマを１個の外部耳（５６）を持つ外部ギアダルマ（５４）と、１個の内部耳（６０）を持つ内部ギアダルマ（５８）に分け、外部ギアダルマと内部ギアダルマをセンターギア（６２）で連動させる事で、請求項３記載のウサギダルマと同じ機能を持つ、シリンダーを組み合わせるダルマの軸を２軸としたセンターギア付き２軸連動ダルマ。
【発明の詳細な説明】
【０００１】
【発明の属する技術分野】
１個の錠に２個のデットボルトを持ち、室内からの操作か室外からの操作かを錠受け側で知る事のできる錠に関する。
【０００２】
【従来の技術】
錠の施錠を、室外から施錠したか室内から施錠したかを知る錠に内外独立信号錠がある。その機構は複雑で高価な錠となり、複雑ゆえの誤作動や誤報も発生する。１個のデットボルトを同一軸で室内外から操作している為である、また、錠本体から信号を取り出す為に扉から枠へ配線を通す必要があり配線もしにくい。
【０００３】
【発明が解決しようとする課題】
使い易く、誤作動や誤報の発生が無く、取り付け易く、錠受け側で信号を取り出す事で配線し易い内外独立信号錠の機能を持つ錠を提供する事である。
【０００４】
【課題を解決するための手段】
デットボルトを外部デットボルトと内部デットボルトの２個に分けた。外部からは外部デットボルトの出し入れと内部デットボルトの入れができ、内部からは内部デットボルトの出し入れと外部デットボルトの入れができるようにした。外部から内部デットボルトの入れができないと内部から施錠していた時に外部から入れない。同じく内部から外部デットボルトの入れができないと外部から施錠していた時に外へ出られない。以上の事を解決する為に，外部と内部のデットボルトに遊びを持たせて連動させる遊び付き合わせダルマを考案し、どちらのデットボルトが錠受け内に突き出しているかを錠受け側で知る事で、扉から枠へ通線する必要が無く、枠に取り付けた錠受けから信号を取り出せるようにした。錠受けには従来品のスイッチストライクを使えば良い。錠受けで信号を得る事で誤作動や誤報が無く、取り付け易く、配線し易く、小型で安価な独立信号錠として使える錠を提供する。
【０００５】
【発明の実施の形態】
図面に基づいて説明する。図１が請求項１記載の内外施錠識別錠の構造を示す斜視図である。外部デットボルト（３）と内部デットボルト（４）を１個の遊び付き合わせダルマ（５）で動かすものであり、両デットボルトとも解錠状態を示す。この状態の扉に取り付けた斜視図が図６であり、図６のＢ−Ｂ断面が図７である。
図２は各部品の動きを図１のＡ−Ａの断面図で示したものである。Ａは外部から施錠して外部デットボルト（３）を突き出した状態である。Ｂは内部から施錠して内部デットボルト（４）を突き出した状態である。Ａの状態を内部から解錠したい時は一度内部デットボルト（４）を突き出す事で、遊び付き合わせダルマの働きで外部デットボルト（３）が引き込む。その後内部デットボルト（４）を引込めれば両デットボルトが引込み、図１状態となる。この事から、最後にどちら側のデットボルトが出ていたかを知る事でどちら側から解錠したかを知る事もできる。Ｂの状態を外部から解錠したい時も同様の操作を行えば良い。すなわち、室外からは室外用デットボルトの施解錠と室内用デットボルトの解錠ができ、ダルマの遊びによって室内用デットボルトの施錠ができない。室内からは室内用デットボルトの施解錠と室外用デットボルトの解錠ができ、室外用デットボルトの施錠ができない。どちらのデットボルトが出ているかを知る事で簡単かつ正確に室内外どちらから施錠したかがわかる。
【０００６】
図３、図４、図５は内外デットボルトに遊びを持たせて連動させて動かす為の請求項２記載の遊び付き合わせダルマを説明する図である。
図３が外部ダルマ（８）と内部ダルマ（１０）を分解して形状を示した図である。
図４が外部ダルマと内部ダルマを組み合わせた遊び付き合わせダルマとその遊び角度を示す図である。図５は図４を横から見た図である。遊び付き合わせダルマのシリンダーの軸受け（１２）（１４）とシリンダーの軸の組み合わせ又はサムターンの軸の組み合わせは図８で示している。遊び付き合わせダルマのもう一つの長所は通常のシリンダーやサムターンの軸との組み合わせが容易である事と、キーやサムターンの操作回転角度が通常の錠と変わらない事である。
図９は内外施錠識別錠にラッチボルト（２３）を組み合わせて一般の玄関錠として使用する請求項１記載の変形例である。
【０００７】
図１０は請求項３記載のウサギダルマ（３３）を使った内外施錠識別錠を説明する図である。
図１１はウサギダルマを使って操作した時の各部品の動きを説明したもので、Ａは外部から外部デットボルト（３１）を出した図であり、Ｂは内部から内部デットボルト（３２）を出した図である。図１０の状態で外部から施錠すると外部デットボルトが突き出し、内部デットボルトとウサギダルマの間は遊びとなり、図１１．Ａの状態となる。図１１．Ａの外部施錠状態で、室内からキーやサムターンで解錠すると外部デットボルトが引込み、解錠する。そのままキーやサムターンを回し続けると内部デットボルトが突き出して図１１・　Ｂの状態となる。ウサギダルマのシリンダー軸受け（３６）とシリンダーの軸の組み合わせ、又はサムターンの軸の組み合わせは図１３で示している。
遊び付き合わせダルマに比べて、ウサギダルマの長所は構造が簡単である事で、短所はシリンダー軸受けの形とシリンダー又はサムターンの軸の形を専用にする必要と、シリンダー及びサムターンに相手のデットボルトを突き出させない回転制限を設ける必要がある事である。
【０００８】
図１４は請求項４のウサギダルマを２個のダルマに分け、センターギア（６２）を設けて２個のダルマを連動させて、ウサギダルマと同じ機能を持たせた図である。このダルマを２個に分けて２軸としたものを変形例とせず、請求項４としたのは外部側だけ又は内部側だけに２個のシリンダーを組み合わせて、どちらのシリンダーで施錠したかを知る、ウサギダルマを使った時とは違う機能が加わる為である。
図１５は遊び付き合わせダルマの機能に加えてダルマを２軸に分けた請求項２と４を組み合わせた変形例である。遊び付き合わせダルマの遊びの原理を外部ダルマ、内部ダルマ、センターギアのいずれかに使用する事で通常のシリンダーやサムターンの軸との組み合わせが可能になる。変形例としたのは請求項１と４を合わせる事で簡単に考え付く為である。
図１６は従来技術であるスイッチストライクを組み合わせて、外部デットボルト（９３）がスイッチを押す事で外部から施錠した信号を発し、内部デットボルトがスイッチを押した時には内部から施錠した信号を発する説明をする図である。従来のスイッチストライクには２個のスイッチを持つものが無いので作る必要がある。
【０００９】
【発明の効果】
室内から施錠したか室外から施錠したかを知る事は、室内から施錠した時は室内に人がいる事を示し、室外から施錠した時は室内に人がいない事を示す。その事を基に自動警備や自動管理を行う事が可能となる。従来からその為の内外独立信号錠があるが、錠受け側で、信号を受けるようにする事で、より使い易く、確実な信号を得られる、安価な錠を提供する事ができる。
【図面の簡単な説明】
【図１】請求項１記載の、内外施錠識別錠のケース蓋を外した斜視図である。
【図２】Ａ　外側から施錠した状態の図１のＡ−Ａ断面である。Ｂ　内側から施錠した状態の図１のＡ−Ａ断面である。
【図３】請求項２記載の、遊び付き合わせダルマの分解斜視図である。
【図４】遊び付き合わせダルマの正面図である。
【図５】遊び付き合わせダルマの側面図である。
【図６】内外施錠識別錠を扉に取り付けた斜視図である。
【図７】図８のＢ−Ｂ断面である。
【図８】遊び付き合わせダルマのシリンダー軸受けとシリンダー軸の組み合わせを説明する図である。
【図９】ラッチボルトを組み合わせた請求項１記載の変形例で、図１のＡ−Ａ断面にあたる図である。
【図１０】請求項３記載のウサギダルマを使った内外施錠識別錠の、図１のＡ−Ａ断面にあたる図である。
【図１１】Ａ．図１０の錠を室外から施錠した図である。Ｂ．図１０の錠を室内から施錠した図である。
【図１２】ウサギダルマの斜視図である。
【図１３】ウサギダルマのシリンダー軸受けとシリンダー軸の組み合わせを説明する図である。
【図１４】請求項４記載の２軸連動ダルマを使った内外施錠識別錠の、図１のＡＡ断面に当たる図である。
【図１５】２軸連動ダルマに遊び付き合わせダルマの機能を加えた変形例で、図１のＡＡ断面にあたる図である。
【図１６】スイッチストライクを説明する図で、外部から施錠した状態の図１のＡＡ断面にあたる図である。
【符号の説明】
１．　錠ケース
２．　錠フロント
３．　外部デットボルト
４．　内部デットボルト
５．　遊び付き合わせダルマ
６．　外部ロッキングバー
７．　内部ロッキングバー
８．　外部ダルマ
９．　外部カム
１０．　内部ダルマ
１１．　内部カム
１２．　シリンダー軸受け
１３．　遊び角度
１４．　シリンダー軸受け
１５．　シリンダー
１６．　サムターン
１７．　シリンダー軸
１８．　サムターン軸
１９．　扉
２０．　遊び付き合わせダルマ
２１．　外部デットボルト
２２．　内部デットボルト
２３．　ラッチボルト
２４．　ラッチカム
２５．　ハンドル軸受け
３０．　　錠ケース
３１．　　外部デットボルト
３２．　　内部デットボルト
３３．　　ウサギダルマ
３４．　　外部耳
３５．　　内部耳
３６．　　シリンダー軸受け
３７．　　シリンダー軸
３８．　　シリンダー
３９．　　サムターン軸
４０．　　サムターン
５１．　　錠ケース
５２．　　外部デットボルト
５３．　　内部デットボルト
５４．　　外部ギアダルマ
５５．　　ギア
５６．　　外部耳
５７．　　シリンダー軸受け
５８．　　内部ギアダルマ
５９．　　ギア
６０．　　内部耳
６１．　　シリンダー軸受け
６２．　　センターギア
７１．　　外部デットボルト
７２．　　内部デットボルト
７３．　　外部ギアダルマ
７４．　　ギア
７５．　　外部耳
７６．　　シリンダー軸受け
７７．　　内部遊びギアダルマ
７８．　　遊びダルマ
７９．　　ギア
８０．　　内部ダルマ
８１．　　内部耳
８２．　　シリンダー軸受け
９０．　　扉
９１．　　内外施錠識別錠
９２．　　錠ケース
９３．　　外部デットボルト
９４．　　内部デットボルト
９５．　　枠
９６．　　スイッチストライク
９７．　　ストライクプレート
９８．　　外部デット受け穴
９９．　　内部デット受け穴
１００．　トロカバー
１０１．　スイッチ
１０２．　コード
１０３．　スイッチ
１０４．　コード
【図１】
2004044096.tif 000003
【図２】
2004044096.tif 000004
【図３】
2004044096.tif 000005
【図４】
2004044096.tif 000006
【図５】
2004044096.tif 000007
【図６】
2004044096.tif 000008
【図７】
2004044096.tif 000009
【図８】
2004044096.tif 000010
【図９】
2004044096.tif 000011
【図１０】
2004044096.tif 000012
【図１１】
2004044096.tif 000013
【図１２】
2004044096.tif 000014
【図１３】
2004044096.tif 000015
【図１４】
2004044096.tif 000016
【図１５】
2004044096.tif 000017
【図１６】
2004044096.tif 000018